(57)【要約】  整流板カバー（３）内にあって吸込口（８）に対向して配置した整流板（９）と、通風路（１５）内の空気を屋外に排気する送風機（１４）と、通風路（１５）内を伝播する騒音を消音する能動消音装置（２０）を備える。また、通風路（１５）は、内側に分割壁（１８）を配して吸込口（８）から送風機（１４）までの部分の通風断面積を細分化した分割風路（１９）とする。さらに、能動消音装置（２０）を構成する消音誤差を検出するエラーマイク（２１）および音波を放出するスピーカ（２２）を分割風路（１９）の筐体（４）側の内壁（１７）に配置する。
2015029403.tif 000002
【特許請求の範囲】
【請求項１】
吸込口と、吹出口と、前記吸込口と前記吹出口とを連通する通風路とを備えた筐体と、
送風方向における上流側の前記吸込口から前記通風路を介して吸い込んだ空気を下流側の前記吹出口から排気する送風機と、
前記通風路内を伝播する騒音を消音する能動消音装置と、
前記吸込口の上流側に連通し、前記吸込口より開口面積が大きい開口部と、
前記開口部の開口面上に、前記開口面と平行に配置された整流板とを備え、
前記開口部の内周縁部と前記整流板の外周縁部とで構成される流入口を設け、
前記通風路は、内側に送風方向と平行に分割壁を配して前記吸込口から前記送風機までの通風路を複数の分割風路に分割し、
前記整流板の前記吸込口に対向する位置には前記分割壁と同一断面形状の分離帯を前記分割壁から前記整流板まで延長させて配置し、
前記能動消音装置を構成する消音誤差を検知するためのエラーマイクおよび消音信号を発信するためのスピーカを、それぞれの前記分割風路の前記筐体側の内壁に配置したレンジフード。
【請求項２】
前記整流板は、長方形の板体とし、
前記分割風路の前記筐体側の内壁のうち前記整流板の長辺に平行な面にのみ前記エラーマイクおよび前記スピーカを配置した請求項１記載のレンジフード。
【請求項３】
前記エラーマイクおよび前記スピーカは、
それぞれの前記分割風路の前記筐体側の内壁であって、さらに内壁の中央よりも前記分割壁側に配置した請求項１に記載レンジフード。
【請求項４】
前記分割壁は十字形状を有すると共に、
前記分割風路は前記分割壁によって４分割とする請求項１に記載のレンジフード。
【発明の詳細な説明】
【技術分野】
【０００１】
本発明は、騒音を低減したレンジフードに関するものである。
【背景技術】
【０００２】
従来、この種の換気装置は、調理機器の上方に設置して、調理場で発生する煙や湯気を集中的に排気するものが知られている（例えば、特許文献１参照）。【０００３】
以下、その換気装置の一例であるレンジフードについて、図１５を参照しながら説明をする。図１５に示すように、レンジフード１０１はフードケース１０２とフードケース１０２に内蔵されたシロッコファンからなる排気ファン１０３と音響再生装置１０４とを備えている。【０００４】
排気ファン１０３は、フードケース１０２の下面側の吸込口１０５と連通している。さらに、排気ファン１０３はフードケース１０２の上面を貫通した吐出口１０６に接続したダクト１０７を介して屋外へ連通している。【０００５】
フードケース１０２の上面には、フードケース１０２の天面と、室内天井と室内壁面で囲まれた空間１０９があり、この空間１０９を室内と区切るように膜板１０８を配置している。すなわち、レンジフード１０１は、フードケース１０２の上面に膜板１０８によって確保した空間１０９を備えている。【０００６】
そして、空間１０９内には音響再生装置１０４およびマイク１１１を設置している。音響再生装置１０４内のスピーカ１１０を空間１０９内部に設け、マイク１１１で検知したモータ１１２の騒音に基づいて、その逆相の音をスピーカ１１０から発して排気ファン１０３の騒音を打ち消している。【０００７】
このような従来のレンジフード１０１では、膜板１０８内にスピーカ１１０とマイク１１１で構成する能動消音装置を配置して消音を行っていた。しかし、レンジフード１０１から発生する騒音は風路を経由して吸込口１０５から放出される音が大きいため、図１５に示す風路に能動消音装置を設けない構成では消音効果を十分に得ることはできなかった。
【先行技術文献】
【特許文献】
【０００８】
【特許文献１】特開２００５−３３７５８４号公報
【発明の概要】
【０００９】
これに対して、騒音の発生源である送風機から発生する音の伝播経路に着目して、能動騒音装置をレンジフードの吸込口から送風機に至る風路内に配置した場合、消音性能を長期にわたり維持することが困難であるという課題がある。すなわち、調理時に発生する油炎を含んだ煙や湯気を排気するレンジフードの場合には、風路内に能動消音装置を配置すると、煙や油煙、あるいは湯気等がスピーカやマイクロホンに付着する。この結果、時間の経過と共にスピーカおよびマイクロホンの性能が低下し、十分な消音効果を得られなくなる。
【００１０】
そこで、本発明は、能動消音装置の消音性能を長期にわたり維持することができるレンジフードを提供する。
【００１１】
本発明に係るレンジフードは、吸込口と、吹出口と、吸込口と吹出口とを連通する通風路とを備えた筐体と、送風方向における上流側の吸込口から通風路を介して吸い込んだ空気を下流側の吹出口から排気する送風機を備える。また、通風路内を伝播する騒音を消音する能動消音装置を備える。また、吸込口の上流側に連通し、吸込口より開口面積が大きい開口部と、開口部の開口面上に、開口面と平行に配置された整流板を備え、開口部の内周縁部と整流板の外周縁部とで構成される流入口を設ける。通風路は、内側に送風方向と平行に分割壁を配して吸込口から送風機までの通風路を複数の分割風路に分割し、整流板の吸込口に対向する位置には分割壁と略同一断面形状の分離帯を分割壁から整流板まで延長させて配置する。そして、能動消音装置を構成する消音誤差を検知するためのエラーマイクおよび消音信号を発信のためのスピーカを、それぞれの分割風路の筐体側の内壁に配置する。
【図面の簡単な説明】
【００１２】
【図１】図１は、本発明の第１の実施の形態に係るレンジフードの設置状態を示す斜視図である。
【図２】図２は、本発明の第１の実施の形態に係るレンジフードの一部切欠斜視図である。
【図３】図３は、本発明の第１の実施の形態に係るレンジフードの正面断面図である。
【図４】図４は、本発明の第１の実施の形態に係るレンジフードに備えた能動消音装置の構成を示す模式図である。
【図５】図５は、本発明の第１の実施の形態に係るレンジフードの分割風路の気流をシミュレーションによって解析した説明図である。
【図６】図６は、本発明の第１の実施の形態に係るレンジフードの分割風路内の油滴の付着例を示す断面図である。
【図７】図７は、本発明の第１の実施の形態に係るレンジフードの能動消音装置におけるセンサーマイクとエラーマイクの相関特性を示す特性図である。
【図８】図８は、本発明の第１の実施の形態に係るレンジフードのセンサーマイクとエラーマイクの相関特性の流速との関係を示す特性図である。
【図９Ａ】図９Ａは、本発明の第２の実施の形態に係るレンジフードの両側面方向からの吸引を示す断面図である。
【図９Ｂ】図９Ｂは、本発明の第２の実施の形態に係るレンジフードの前後方向からの吸引を示す断面図である。
【図１０】図１０は、本発明の第２の実施の形態に係るレンジフードの平面視における断面図である。
【図１１】図１１は、本発明の第２の実施の形態に係るレンジフードの流入口と吸込口の位置関係を示す構成図である。
【図１２Ａ】図１２Ａは、図１１の１２Ａ−１２Ａ断面図である。
【図１２Ｂ】図１２Ｂは、図１１の１２Ｂ−１２Ｂ断面図である。
【図１３】図１３は、本発明の第２の実施の形態に係るレンジフードの流入口と吸込口の位置関係を示す構成図である。
【図１４】図１４は、本発明の第３の実施の形態に係るレンジフードの平面視における断面図である。
【図１５】図１５は、従来のレンジフードの断面構成図である。
【発明を実施するための形態】
【００１３】
以下、添付図面を参照して、本発明の実施の形態に係るレンジフードについて説明する。なお、以下の実施の形態は、本発明を具体化した一例であって、本発明の技術的範囲を限定する性格のものではない。また、全図面を通して、同一の部位については同一の番号を付している。さらに、各図面において、本発明に直接には関係しない各部の詳細については説明を省略している。
【００１４】
（第１の実施の形態）
まず、本発明の第１の実施の形態に係るレンジフードの設置状態について図１を用いて説明する。
【００１５】
図１に示すように、厨房に取り付けるレンジフード１は、加熱調理機器２の上方に取り付けられている。このレンジフード１は、加熱調理機器２の上面を覆うように配置した整流板カバー３と、この整流板カバー３の中央上面側に突出して形成した筐体４から構成される。なお、図１における矢印Ｘ方向から見た際のレンジフード１の一側面、すなわち調理者が調理時に向かい合うレンジフードの面を正面と定義する。
【００１６】
整流板カバー３は、正面から見て奥行きＤに比べて幅Ｗが長く構成されている。
【００１７】
続いて、図２を用いて、レンジフード１の概略構成について説明する。なお、図２は、本発明の第１の実施の形態に係るレンジフードの一部切欠斜視図である。
【００１８】
図２に示すように、整流板カバー３は、天面板５と、この天面板５の外周を囲む側壁６と、下面に形成された開口部７と、開口部７を構成する開口面上にあってその開口面と平行に配置した長方形状の整流板９と、天面板５の中央部に設けた吸込口８とを備える。
【００１９】
天面板５は、整流板カバー３の上方（図面の上方向であって、送風の下流方向）の一面を構成し、上述したように奥行きＤに比べて幅Ｗの長い長方形に形成されている。
【００２０】
天面板５の縁部１０には、側壁６が下方（図面の下方向であって、送風の上流方向）に向けて突出しており、この側壁６と天面板５とによって、下方に開口する開口部７を形成している。
【００２１】
整流板９は、開口部７の内側縁部から同じ幅の間隔を空けて配置できるように縦横の長さ比率が調整されており、開口部７と相似関係を有する長方形の板体である。これにより、開口部７の内周縁部と整流板９の外周縁部とによって、流入口１１が形成されている。なお、整流板９は、流入口１１の気流の流速を確保するために設けられており、天面板５の中央部に形成した吸込口８を下方から覆う構成となっている。そして、整流板９の、天面板５の吸込口８に対向する位置には分離帯２５が設けられている。
【００２２】
吸込口８は、正方形または正方形に近い形状の開口であって天面板５の上面側（下流側）に設けた筐体４に連通している。
【００２３】
筐体４の天面（図面の上方向であって、後述する下流方向）では、開口した吹出口１２にて、屋外へ連通するダクト１６の吐出口１３と連通している。なお、ダクト１６はレンジフード１には含まれない。
【００２４】
筐体４の内部には、気流を吸い込む開口部（図示せず）を供えた送風機１４と、通風路１５とが備えられ、通風路１５はさらに分割壁１８と送風内壁３１を備えている。
【００２５】
続いて、図３、図４を用いて、レンジフード１の内部構成、及び、能動消音装置の構成について説明する。なお、図３は、レンジフード１の正面断面図、図４は、能動消音装置の構成を示す模式図である。また、図４は、図３における左側に示した分割風路のみを示している。
【００２６】
図３に示すように、筐体４の通風路１５には、天面板５の吸込口８から筐体４内へ延設した筒状の送風内壁３１と、その送風内壁３１に囲まれて構成される内部空間に送風方向と平行に設けられた分割壁１８とを配している。つまり通風路１５は、分割壁１８によって吸込口８から送風機１４までの通風空間を細分化されている。
【００２７】
細分化の構造をさらに説明する。分割壁１８は、通風空間における送風方向に垂直な断面（以下、通風断面という）が十字形状である。この十字形状の４つの端部が送風内壁３１に接することにより独立した４つの分割風路１９を形成している。言い換えると、各々の分割風路１９を構成する内壁１７は２面の分割壁１８と、２面の筐体４側の内壁である送風内壁３１によって構成される。
【００２８】
さらに、図３に示すように、それぞれの分割風路１９には、能動消音装置２０が配置されている。
【００２９】
能動消音装置２０は、図４に示すように、各々の分割風路１９の内壁１７に吸込口８側から順に配置した、エラーマイク２１、スピーカ２２、センサーマイク２３を備える。また、能動消音装置２０はセンサーマイク２３とエラーマイク２１の信号から位相と振幅を調整した音声信号をスピーカ２２から発振させる音声制御部２４を備えている。
【００３０】
エラーマイク２１とスピーカ２２は筐体４側の内壁１７に設置されている。この筐体４側の内壁１７は、図３で説明した送風内壁３１である。
【００３１】
なお、エラーマイク２１とスピーカ２２は、吸込口８側に寄せると共に、センサーマイク２３は、騒音源４０である送風機側に寄せて分割壁１８に設置している。結果としてエラーマイク２１とスピーカ２２とはセンサーマイク２３に比べて送風機１４から遠い位置に配置される。
【００３２】
音声制御部２４は、エラーマイク２１、スピーカ２２、センサーマイク２３に接続されており、送風内壁３１と筐体４の内壁との間の空間４４に配置されている。この空間４４は、筐体４の内壁面を一周する角筒形状を成しており、天面板５に接する上流側板４１と、送風内壁３１の下流端から筐体４の内壁に接する下流側板４２とにより通風路１５とは独立した空間を構成している。なお、上流側板４１は必ずしも必要でなく、天面板５が上流側板４１として機能してもよい。このように、通風路１５とは独立した空間４４に音声制御部２４を備えることで、音声制御部２４は煙や油煙、あるいは湯気から隔離される。
【００３３】
また、図３に示すように、整流板９の中央部には、分割壁１８に対向した位置から吸込口８に向けて分割壁１８と同一断面形状の分離帯２５を起立させて設けている。
【００３４】
分離帯２５は、その上面端部（下流方向）が略十字形状をなしており、この上面端部が、同じく略十字形状をなしている分割壁１８の下端部（上流方向の端部）と形状を一致させて配置されている。この分離帯２５と、分割壁１８を含んで成る分割風路１９とが一体となって構成される４つの風路の間には気流の往来がなく、即ちそれぞれ独立した空間となっている。
【００３５】
以上が、本実施の形態に係るレンジフードの構成である。
【００３６】
続いて、図３、図５、図６を用いて、レンジフード動作時の各部の働きを説明する。なお、図５は、レンジフードの分割風路の気流をシミュレーションによって解析した図である。また、図６はレンジフードの分割風路内の油滴の付着例を示す図である。
【００３７】
レンジフード１を運転させると、送風機１４の動作によって、流入口１１からダクト１６方向に流れる気流が発生し、調理時に下方（上流方向）から上昇してくる油煙や水蒸気を含んだ空気を捕集することとなる。
【００３８】
流入口１１から整流板９の上面、すなわち吸込口８に対向する面に流れ込んだ気流は、整流板９と、整流板カバー３との間の空間に沿って水平方向へ進行し、分離帯２５にて４つに分割されて、それぞれ吸込口８まで案内される。
【００３９】
このとき気流は、図５に示すように、分離帯２５の略十字形状を有する中心付近の壁３０にぶつかるため、急激に水平方向から垂直方向へ向きを変えることになる。そして、吸込口８に近い側の気流は遠心力の作用により、分割壁１８に沿って流れることとなる。すなわち、分割壁１８側の気流の流速は送風内壁３１側の気流の流速に比べて大きく、流体の密度が高くなる。言い換えると、エラーマイク２１とスピーカ２２を設置した送風内壁３１の近傍は、比較的流速が小さく、流体の密度を低くすることができる。
【００４０】
結果として、図６に示すように、流入口１１から整流板９の上面に流れ込んだ気流に含まれる油煙の多くは分割壁１８側を通過することなり、分割壁１８に多くの油滴２６が付着することとなる。
【００４１】
本実施の形態に係るレンジフード１の能動消音装置２０では、エラーマイク２１とスピーカ２２を筐体４側の内壁１７に設置している。これにより、エラーマイク２１とスピーカ２２が、調理時に発生する煙や油煙、あるいは湯気に曝されて、不純物が付着して性能が低下することを防止できる。つまり、本実施の形態に係るレンジフード１の能動消音装置２０は、長期にわたって消音性能を維持することができ、信頼性を向上させることができる。
【００４２】
また、エラーマイク２１とスピーカ２２を吸込口８側に寄せ、すなわち吸込口８近傍に配置することにより、分割風路１９内で最も気流の密度が低い場所に配置することができ、より高い効果を得ることができる。
【００４３】
なお、センサーマイク２３は、騒音源である送風機１４側に寄せて設置していることから、分割風路１９内の最下流側に位置することとなるので、エラーマイク２１とスピーカ２２に比べて、油滴２６の付着が少なく、性能低下が起こりにくい。
【００４４】
ところで、能動消音装置２０において、センサーマイク２３とエラーマイク２１は、取り付け位置を含む調整によって相関性を確保することが重要であることが知られている。つまり相関性が高いと消音効果が高く、相関性が低いと消音効果が低くなるのである。
【００４５】
例えば図７は、本発明の第１の実施の形態に係るレンジフード１の能動消音装置２０におけるセンサーマイク２３とエラーマイク２１の相関特性を示す図である。図７に示すように、分割壁１８を設けることで（風路分割あり）、分割壁１８なしの場合（風路分割なし）に比較して、４００Ｈｚから５００Ｈｚ、８００Ｈｚ、１５００Ｈｚ、特に８００Ｈｚ付近の音において相関性を向上させることができている。つまり、本実施の形態では、風路分割を設けているため、設けない場合と比較して消音性能が向上している。
【００４６】
また、図８は、本実施の形態に係るセンサーマイク２３とエラーマイク２１の相関特性の流速による変化を示す図である。図８に示すように、流速に着目した場合、エラーマイク２１を流速の大きい場所に配置すると、低い周波数において相関性が低下する傾向にある。これに対して、本実施の形態に係るレンジフード１の能動消音装置２０では、エラーマイク２１とスピーカ２２を設置した内壁１７（送風内壁３１）は、比較的流速を小さくすることができる。このことから、能動消音装置２０は、消音性能をより低周波数域まで拡大している。
【００４７】
以上のように、分割風路１９の筐体４側の内壁１７（送風内壁３１）にエラーマイク２１及びスピーカ２２を配置することで、以下のような効果を得る。すなわち、消音性能を向上させ、かつエラーマイク２１とスピーカ２２を調理時に発生する気流に曝すことによる性能の劣下を防止して、長期にわたる消音性能を確保したレンジフードを実現することができる。
【００４８】
（第２の実施の形態）
上述したように、本発明の第１の実施の形態では、本願発明に係るレンジフード１の基本的な構成とその作用効果について説明をした。
【００４９】
本発明の第２の実施の形態では、図９Ａ、図９Ｂ、図１０、図１１、図１２Ａ、図１２Ｂを用いて、能動型騒音装置の効果的な配置を説明する。なお図９Ａ、図９Ｂは、本実施の形態に係るレンジフード１の両側面方向と前後方向における気流の流速の違いを説明する図である。また、図９Ａは両側面方向（短辺）からの吸引を示す図であり、図９Ｂは前後方向（長辺）からの吸引を示す図である。また、図１０は本実施の形態に係るレンジフード１の平面視における断面図である。ここでいう平面とは、レンジフード１を上方から見た面であり、レンジフード１の天面に形成した吹出口１２を有する面を指す。また、図１１はレンジフード１を下方から見たときの流入口１１と分割風路１９の内壁１７の位置関係を示す概略図である。なお、図１１では、整流板９により分割風路１９が死角となっているため、分割風路１９の内壁１７の位置を破線で示している。また、図１２Ａは図１１の１２Ａ‐１２Ａ断面図、図１２Ｂは図１１の１２Ｂ‐１２Ｂ断面図であり、エラーマイク２１とスピーカ２２の設置位置による気流の違いを表した図である。
【００５０】
本発明の第１の実施の形態で説明したように、加熱調理機器２に合わせて、整流板カバー３の開口部７と整流板９は、奥行きＤに比べて幅Ｗを長くした長方形に形成している。
【００５１】
この構成では、整流板カバー３の両側面方向（短辺）から吸込まれる気流と前後方向（長辺）から吸込まれる気流は吸込口８において流れる様子が異なる。
【００５２】
すなわち、図９Ａに示した両側面方向（短辺）から吸込まれる気流は、図９Ｂに示した前後方向（長辺）から吸込まれる気流と比較して、流入口１１から吸込口８までの距離、つまり整流板９の上面を流れる距離が異なる。結果として、分割風路１９の筐体４側の内壁１７にエラーマイク２１とスピーカ２２を配置した場合であっても、図９Ａと図９Ｂとで気流が異なる。
【００５３】
そこで、本実施の形態では、エラーマイク２１とスピーカ２２は、筐体４側の内壁１７のうち、整流板９の長辺に平行な内壁１７に配置し、即ち図９Ｂに示す配置を採用している。言い換えると、本実施の形態では、図１０に示すように、レンジフード１の正面側（矢印Ｘ）及び裏面側の送風内壁３１にエラーマイク２１とスピーカ２２（図１０では図示せず）を設けている。そして、整流板９の短辺に平行な内壁１７、つまり側面側の送風内壁３１にはエラーマイク２１とスピーカ２２を配置しない構成である。
【００５４】
上記構成において、レンジフード１を運転させると、第１の実施の形態にて説明したように、流入口１１から流入した気流は、整流板９の上面を経由して吸込口８まで到達する。このとき、気流の経路は狭風路となっており、一般的に狭風路の距離が長いほど圧損は大きくなり、気流はより圧損の小さい経路に流れやすくなる性質がある。つまり、図９Ａに示すように、整流板カバー３の短辺から吸い込まれた気流は整流板９の上面を流れる距離が長いため、圧損が大きい。これに対して、図９Ｂに示すように、整流板カバー３の長辺から吸い込まれた気流は整流板９の上面を流れる距離が短いため、圧損が小さくなる。
【００５５】
その結果、整流板カバー３の長辺側から吸い込まれる気流がより吸い込まれやすくなり、この気流の流速が大きくなる。すなわち本実施の形態では図９Ａで示す気流６０ａよりも図９Ｂで示す気流６０ｂの方が気流の流速は大きくなる。以上が、気流の流速についての説明である。続いて気流に作用する遠心力について説明する。
【００５６】
吸込口８において、気流は分離帯２５の略十字形状を有する中心付近の壁にぶつかるため、水平方向から垂直方向へ向きを変える。このとき、遠心力の作用により、気流に密度分布が発生するのは上述の通りである。一般的に、遠心力は速度の２乗に比例して大きくなることが知られている。
【００５７】
図１１に示すように、整流板カバー３の短辺から吸い込まれる気流６０ａに比べ、長辺から吸い込まれる気流６０ｂの流速の方が大きいのは上記で説明した通りである。したがって、図１２Ｂに示す構成、つまり整流板９の長辺に並行な面にエラーマイク２１とスピーカ２２を配置する構成では気流の速度が大きいため、図１２Ａで示す構成に比べ、大きな遠心力が作用する。その結果、図１２Ｂに示すように、水平方向から垂直方向へ向きを変えた気流は、分割壁１８側がより密に、筐体４側の内壁１７側がより疎の状態となる。
【００５８】
以上が、気流の速度と密度の関係である。ここで、本実施の形態では、気流の密度が疎となる面、すなわち図９Ｂ（同じく図１２Ｂ）に示す筐体４側の内壁１７側にエラーマイク２１とスピーカ２２を設けている。気流の密度が疎となる面にエラーマイク２１とスピーカ２２とを設けることにより、煙や油煙、あるいは湯気がエラーマイク２１やスピーカ２２に付着することを防止することができる。
【００５９】
これにより、消音性能を向上させ、かつエラーマイク２１とスピーカ２２を調理時に発生する気流に曝すことによる性能の劣下を防止して、長期にわたる消音性能を確保したレンジフードを実現することができる。
【００６０】
（第３の実施の形態）
続いて、本発明の第３の実施の形態に係るレンジフードについて説明する。なお、図１３はレンジフード１を下方から見た図で、流入口１１と分割風路１９の内壁１７の位置関係を示す概略図である。なお、図１３では、整流板９により分割風路１９が死角となっているため、分割風路１９の内壁１７の位置を破線で示している。また、図１３における距離ａ、距離ｂ、距離ｃは筐体４側の内壁１７の縁部のうち３点（中央とその両サイド）における流入口１１までの距離を表している。また、図１４は本発明の第３の実施の形態に係るレンジフード１の平面視における断面図である。
【００６１】
実施の形態２にて説明したように、整流板９の上面を流れる距離が短いほうが気流の流速が大きくなり、より大きな遠心力が作用する。したがって、エラーマイク２１とスピーカ２２を気流の密度が小さい場所に設置することで、油煙などの影響を抑えることができる。
【００６２】
そこで、本実施の形態では、さらに気流の流れが速い場所を追求したものである。
【００６３】
図１３において、分割風路１９の内壁１７を破線で示しており、流入口１１から筐体４側の内壁１７の縁部の中央までの距離を距離ｂ、分割壁１８側の任意の一点までの距離を距離ａ、中央を挟んだ反対側の任意の一点までの距離を距離ｃで表している。
【００６４】
図１３に示すように、流入口１１から吸込口８までの距離は距離ａ＜距離ｂ＜距離ｃの関係となっている。即ち、本実施の形態では、エラーマイク２１とスピーカ２２を筐体４側の内壁１７の中央部より分割壁１８側に配置することで、流入口１１から吸込口８までの距離をより短い構成とすることができる。
【００６５】
つまり、第２の実施の形態では図１０に示すように、送風内壁３１の分割風路１９に面した面内において、中央部にエラーマイク２１とスピーカ２２を配置していた。これに対して、本実施の形態では、図１４に示すように、送風内壁３１の分割風路１９に面した面内において、中央よりも分割壁１８側にエラーマイク２１とスピーカ２２（図１４では図示せず）を配置するものである。
【００６６】
このように、流入口１１から吸込口８までの距離がより短くなるよう、エラーマイク２１とスピーカ２２を配置することで、さらに気流の密度が小さい場所にエラーマイク２１とスピーカ２２を設置することができる。結果として、油煙などの影響を最小限に抑えることが可能となり、消音性能を向上させ、かつエラーマイク２１とスピーカ２２を調理時に発生する気流に曝すことによる性能の劣下を防止して、長期にわたる消音性能を確保したレンジフードを実現することができる。
【００６７】
なお、図１４では、エラーマイク２１の全体が中央よりも分割壁１８側に配置する構成としているが、エラーマイク２１とスピーカ２２の中心が壁面中央よりも分割壁１８側に配置していれば良い。
【００６８】
また、本実施の形態は、第２の実施の形態の構成に対してエラーマイク２１とスピーカ２２を中央よりも分割壁１８側に配置させているが、本実施の形態の構成を第１の実施の形態の構成に対して施しても良い。
【００６９】
以上説明したように、本発明に係るレンジフードは、吸込口と、吹出口と、吸込口と吹出口とを連通する通風路とを備えた筐体と、送風方向における上流側の吸込口から通風路を介して吸い込んだ空気を下流側の吹出口から排気する送風機と、通風路内を伝播する騒音を消音する能動消音装置とを備える。また、吸込口の上流側に連通し、吸込口より開口面積が大きい開口部と、開口部の開口面上に、開口面と平行に配置された整流板とを備える。また、開口部の内周縁部と整流板の外周縁部とで構成される流入口を設け、通風路は、内側に送風方向と平行に分割壁を配して吸込口から送風機までの通風路を複数の分割風路に分割し、整流板の吸込口に対向する位置には分割壁と同一断面形状の分離帯を分割壁から整流板まで延長させて配置する。さらに、能動消音装置を構成する消音誤差を検知するためのエラーマイクおよび消音信号を発信するためのスピーカを、それぞれの分割風路の筐体側の内壁に配置する。
【００７０】
これにより、送風機を運転すると、整流板の作用により流入口から水平に引き込まれる気流は、吸込口で垂直方向に方向を変えて分割風路内へ侵入することとなる。ここで、気流が方向を変えるとき遠心力が作用するため、分割壁側の流速が筐体側の内壁側の流速に比べて大きくなる。つまり分割壁側に比べて筐体側の内壁側は気流が疎の状態となり、エラーマイクおよびスピーカに触れる気流を少なくすることができる。その結果、エラーマイクおよびスピーカに付着する汚れを少なくすることができ、能動消音装置の消音性能を長期にわたり維持させるという効果を奏する。
【００７１】
また、本発明に係るレンジフードは、整流板を長方形の板体とし、分割風路の筐体側の内壁のうち整流板の長辺に平行な面にのみエラーマイクおよびスピーカを配置してもよい。
【００７２】
これにより、エラーマイクおよびスピーカを設置した内壁側から流入する気流の経路は圧損が小さいため流速が大きくなり、分割風路内へ方向を変えるときに作用する遠心力が大きくなる。したがって、整流板の長辺に平行な面の筐体側の気流がより疎の状態となり、消音性能を向上させながら、長期にわたる消音性能を確保したレンジフードを実現することができる。
【００７３】
また、本発明に係るレンジフードは、エラーマイクおよびスピーカを、それぞれの分割風路の筐体側の内壁であって、さらに内壁の中央よりも分割壁側に配置してもよい。
【００７４】
これにより、内壁の中央よりも分割壁側は、逆側よりも気流が疎の状態になるため、この位置にエラーマイクおよびスピーカを配置することで、消音性能を向上させながら、長期にわたる消音性能を担保したレンジフードを実現することができる。
【００７５】
また、本発明に係るレンジフードは、分割壁は十字形状を有すると共に、分割風路は分割壁によって４分割としてもよい。
【００７６】
これにより、長期にわたる消音性能を担保するとともに、通風抵抗を大きく落とすことなく所定の排気能力を保持したレンジフードを実現することができる。
【産業上の利用可能性】
【００７７】
本発明に係るレンジフードは、静音性が求められるレンジフードとして有用である。
【符号の説明】
【００７８】
１，１０１  レンジフード
２  加熱調理機器
３  整流板カバー
４  筐体
５  天面板
６  側壁
７  開口部
８，１０５  吸込口
９  整流板
１０  縁部
１１  流入口
１２  吹出口
１３，１０６  吐出口
１４  送風機
１５  通風路
１６，１０７  ダクト
１７  内壁
１８  分割壁
１９  分割風路
２０  能動消音装置
２１  エラーマイク
２２，１１０  スピーカ
２３  センサーマイク
２４  音声制御部
２５  分離帯
２６  油滴
３０  中心付近の壁
３１  送風内壁
４１  上流側板
４２  下流側板
４４，１０９  空間
１０２  フードケース
１０３  排気ファン
１０４  音響再生装置
１０８  膜板
１１１  マイク
１１２  モータ
【図１】
2015029403.tif 000003
【図４】
2015029403.tif 000004
【図５】
2015029403.tif 000005
【図１０】
2015029403.tif 000006
【図１３】
2015029403.tif 000007
【図１４】
2015029403.tif 000008
【図２】
2015029403.tif 000009
【図３】
2015029403.tif 000010
【図６】
2015029403.tif 000011
【図７】
2015029403.tif 000012
【図８】
2015029403.tif 000013
【図９Ａ】
2015029403.tif 000014
【図９Ｂ】
2015029403.tif 000015
【図１１】
2015029403.tif 000016
【図１２Ａ】
2015029403.tif 000017
【図１２Ｂ】
2015029403.tif 000018
【図１５】
2015029403.tif 000019
【国際調査報告】
2015029403.tif 000020
2015029403.tif 000021
2015029403.tif 000022
2015029403.tif 000023